(57)【要約】      （修正有）【課題】この発明は、上部に給水栓を備えた給水部空間の前方に、この給水部空間を開閉する扉を備えることによって、ウオーターサーバーの筐体前面の凹凸を減らしつつ、水平状態で器に給水した際に残る水が、扉を縦位置に回動したときに漏れないようにする。【解決手段】この発明は、タンクの水を給水栓から供給するウオーターサーバーにおいて、上部に給水栓３を備えた給水部空間１の前方に、この給水部空間１を開閉する扉４を備えている。この扉４は、ウオーターサーバーの筐体に水平軸で給水部空間１を閉鎖する縦位置から水平位置に回動可能に取り付け、この扉４に受け皿６を着脱自在に固定する。この受け皿６は中空部９を備え、上壁に水抜き穴８ｂが設けてある。【選択図】図２
2020147348.tif 000002
【特許請求の範囲】
【請求項１】
タンクの水を給水栓から供給するウオーターサーバーにおいて、
上部に給水栓を備えた給水部空間の前方に、この給水部空間を開閉する扉を備え、
この扉は、
ウオーターサーバーの筐体に水平軸で、給水部空間を閉鎖する縦位置から水平位置に回動可能に取り付けられ、
この扉に受け皿が着脱自在に固定され、
この受け皿は中空であり、上壁に水抜き穴が設けられた
ウオーターサーバー。
【請求項２】
扉の縦位置における内面下部に凹陥部が設けられ、この凹陥部に受け皿が固定された、請求項１に記載のウオーターサーバー。
【請求項３】
受け皿は、下皿と、これに嵌合する上皿とで構成し、下皿又は上皿の周縁に立ち上がり部が設けられ、上皿又は下皿に前記立ち上がり部に嵌合する嵌合部が形成された、請求項1又は２に記載のウオーターサーバー。
【請求項４】
受け皿の水抜き穴の位置は、扉の水平位置における給水栓の直下よりも手前側とした、請求項１ないし３に記載のウオーターサーバー。
【請求項５】
扉の開閉は、筐体に設けられた給水栓の操作スイッチの表示ランプに連動し、扉の閉鎖時には表示ランプが消灯し、扉の開放時には表示ランプが点灯するようにした、請求項１ないし４の何れかに記載のウオーターサーバー。
【請求項６】
扉の開閉は、給水部空間の上部に設置された、受け皿を照射するランプに連動し、扉の閉鎖時にはランプが消灯し、扉の開放時にはランプが点灯するようにした、
請求項１ないし５の何れかに記載のウオーターサーバー。
【発明の詳細な説明】
【技術分野】
【０００１】
この発明は、ウオーターサーバーに関するものであり、具体的にはウオーターサーバーの給水部の改良に関するものである。
【背景技術】
【０００２】
現在市場に流通しているウオーターサーバーは、給水栓の直下に器を載置する台（受け皿）が固定されたものであり、この台は面積が小さく、大きな器を置くことが難しい。
ビールサーバーにおいては、冷蔵庫本体のテーブル扉を開け冷蔵庫本体の外側から操作手段によってビールを注げるように構成するとともにテーブル扉をビールコップの載置用テーブルとして利用可能としたものが提案されている（特開２００４−５３２２９号）。この発明は、受け皿上の水の処理については配慮されていない。
また、受け皿の下方に水を貯められるようにしたものとして、特開２００９−１５４９２０号の発明があるが、これは固定された受け皿に対応するものである。
【特許文献１】特開２００４−５３２２９号公報
【特許文献２】特開２００９−１５４９２０号公報
【発明の開示】
【発明が解決しようとする課題】
【０００３】
この発明は、上部に給水栓を備えた給水部空間の前方に、この給水部空間を開閉する扉を備えることによって、ウオーターサーバーの筐体前面の凹凸を減らしつつ、水平状態で器に給水した際に残る水が、扉を縦位置に回動したときに漏れないようにすることを課題とするものである。
【課題を解決するための手段】
【０００４】
この発明は、タンクの水を給水栓から供給するウオーターサーバーにおいて、上部に給水栓を備えた給水部空間の前方に、この給水部空間を開閉する扉を備えている。
この扉は、ウオーターサーバーの筐体に水平軸で給水部空間を閉鎖する縦位置から水平位置に回動可能に取り付け、この扉に受け皿を着脱自在に固定する。この受け皿は中空であり、上壁に水抜き穴が設けてある。
【０００５】
前記扉は、縦位置における内面下部に凹陥部を設け、この凹陥部に受け皿を固定することが好ましい。
この発明で受け皿の扉への「固定」とは、扉の回動操作によって受け皿が扉から離脱しない状態にあることをいう。すなわち、受け皿を凹陥部に容易に離脱しないように密接させるほか、扉に受け皿の離脱を阻止する係止部を設けたり、両者を面ファスナーで固定する等の手法も考えられる。
【０００６】
前記受け皿は、下皿又は上皿の周縁に立ち上がり部を設け、上皿又は下皿に前記立ち上がり部に嵌合する嵌合部が形成する構成することが好ましい（請求項２）。この構成により、水が貯まる中空部の清掃が容易になる。
【０００７】
受け皿は、注水時に器を置く台になり、中空部に水が貯められ、扉の開閉操作において水が漏れないものであれば良い。したがって、受け皿は上下に分割せずに一体成形ものとし、水平位置における受け皿の手前側上部に排水穴を設けてもよい。
受け皿の水抜き穴の位置は、水平位置における扉の給水栓の直下よりも手前側とすることが好ましい（請求項３）。なお、水抜き穴の数は１つに限定されるものではない。
【０００８】
扉の開閉は、筐体に設けられた操作スイッチの表示ランプに連動させ、扉が閉鎖時には表示ランプが消灯し、扉が開放時には表示ランプが点灯するようにすることもできる（請求項４）。また、扉の開閉は、給水部空間の上部に設置された、受け皿を照射するランプに連動させ、扉の閉鎖時にはランプが消灯し、扉の開放時にはランプが点灯するようにすることもできる（請求項５）。
【発明の効果】
【０００９】
この発明において、上部に給水栓を備えた給水部空間の前方に、この給水部空間を開閉する扉を設けたので、給水時以外は扉を閉じておくことにより、給水栓を扉で覆うことができ、筐体外に露出しないので衛生的である。加えて、筐体の凹凸を可及的に減らすことができる。
前記扉は、ウオーターサーバーの筐体に水平軸で垂直位置から水平位置に回動可能に取り付けてあるので、受け皿を装着した扉は給水時の器の載置台として機能することができ、また扉の上下の長さを大きく取ることにより、広い面積の載置台を得ることができる。
【００１０】
前記扉に、中空で上壁に水抜き穴が設けてある受け皿を装着してあるので、給水時には受け皿にカップなどの器を載置して給水し、受け皿に漏れた水は水抜き穴から中空部に落下して貯まる。そして、中空部に貯まった水は、扉を垂直状態に回動しても漏れることがない。
前記受け皿は、扉の内面下部に凹陥部を設け、この凹陥部に装着すると安定する（請求項２）が、必ずしも凹陥部に装着する必要はない。
【００１１】
請求項３の発明によれば、前記受け皿を下皿と上皿とを嵌合させて構成したので、受け皿を二分割することができ、中空部に貯まった水の排出が容易であり中空部を洗浄することができる。
【００１２】
請求項４の発明によれば、受け皿の水抜き穴の位置を水平位置における扉の給水栓の直下よりも手前側としたので、扉の垂直位置における中空部の下部から水抜き穴までの容積を可及的に大きくすることができ、扉の移動時における不慮の水漏れを回避することができる。
【００１３】
暗所での使用においては、給水栓の操作スイッチが点灯することが好ましい。しかし、常時点灯させることは無駄である。請求項５の発明によれば、扉の開閉と操作スイッチの点滅を連動させたので、操作スイッチの光源を点灯が必要な給水時（扉の開放時）のみ点灯させることができる。
【００１４】
請求項６の発明によれば、扉の開閉は、給水部空間の上部に設置された、受け皿を照射するランプに連動させ、扉の閉鎖時にはランプが消灯し、扉の開放時にはランプが点灯するようにしたので、暗所での使用においても器を正しい位置にセットすることができる。
【図面の簡単な説明】
【００１５】
【図１】この発明実施例の扉を開いた状態の斜視図。
【図２】同じく扉を開いた状態の給水部空間の断面図。
【図３】同じく扉と受け皿の分解斜視図。
【図４】同じく受け皿の分解斜視図。
【図５】同じく扉を開いた状態での水の状態を示す断面図。
【図６】同じく扉を閉じた状態での水の状態を示す断面図。
【図７】同じく二つの光源が点灯した状態の斜視図。
【図８】同じく鍋に給水する状態の斜視図。
【実施例】
【００１６】
以下この発明の実施例を説明する。
【００１７】
ウオーターサーバーＡの上部に給水部空間１が設けてあり、下部に水容器の収納部２が設けてある。前記給水部空間１の上壁に給水栓３が設けてある。そして、前記給水部空間１には扉４が筐体５に水平な軸で取り付けられ、前記給水部空間１の前方を閉鎖する縦位置から水平位置まで回動できるようにしてある。
【００１８】
前記扉４は、垂直位置における下側に凹陥部４ａが設けてあり、この凹陥部４ａに受け皿６が装着してある。受け皿６の周壁は凹陥部４ａの内壁に密接し、前記扉４の回動において容易に離脱しないようにしてある。この受け皿６は、下皿７と上皿８とを嵌合して構成してある。すなわち、平面視長方形の下皿７の水平状態における上面四周に壁７ａが設けてあり、同じく平面視長方形の上皿８の水平状態における下面四周に、前記下皿７の壁７ａに嵌合する溝（図示していない）を備えた壁８ａが設けてあり、前記下皿７の壁７ａと上皿８の壁８ａに設けられた溝が嵌合している。
【００１９】
前記上皿８には水抜き穴８ｂが設けてあり、下皿７と上皿８との間には中空部９が形成されている。また、上皿８の上面は、前記水抜き穴８ｂに向けて傾斜している。なお、前記水抜き穴の前後方向の位置は、給水栓３の直下としてある。また、上皿８の先端部８ｃは下皿７から若干突出している。
図中符号１０は筐体上面に置かれた皿であり、コーヒーなどの運搬用に使用することもできる。
【００２０】
前記筐体５の正面壁において、前記給水部空間１の上方に給水栓３を操作するためのスイッチ１１が二つ配設してあり、このスイッチ１１に光源が装着してある。この光源は、扉４の閉鎖状態（垂直位置）では消灯し、開放状態（水平位置）で点灯するように回路が構成してある。
【００２１】
また、前記給水部空間１の上面に下方を照らす光源１２が配設してあり、この光源１２は、扉４の閉鎖状態（垂直位置）では消灯し、開放状態（水平位置）で点灯するように回路が構成してある。
【００２２】
このウオーターサーバーＡは、不使用時には扉４を垂直状態にして給水部空間１を閉鎖する。この状態において、筐体５の正面はほぼ面一となり、給水部空間の窪みは見えない。
使用時には、扉４を水平位置まで回動させ、受け皿６にカップなどの器を載せて水（湯）を注ぐ。このときに受け皿６に落ちた水Ｗは、水抜き穴８ｂを経て落下し、中空部９に貯まる。そして、中空部９は下皿７及び上皿８の四周の壁で閉塞されているので、扉４を水平位置から垂直位置に回動させたときに、中空部９に貯まった水Ｗが漏れることはない（図５，図６参照）。
【００２３】
受け皿６の清掃手順は以下のとおりである。
上皿８の突出した先端部８ｃを持ち上げて受け皿６を傾け、ついで受け皿６を扉４から取り出す。その後、受け皿６を下皿７と上皿８とに分解し、中空部９に貯まった水を排出し、中空部の内壁を清掃する。
【００２４】
このウオーターサーバーによれば、扉４の面積と同等の面積の器の載置台を得ることができる。給水部空間の高さは通常２０センチ程度であるから、奥行き２５センチ程度の載置台を得ることができる。したがって、載置台の奥行きが１０センチ程度以下である従来のウオーターサーバーでは対応できなかった、鍋のような大きな器であっても、受け皿に載せて給水することができる（図８参照）。
【産業上の利用可能性】
【００２５】
この発明は、上部に給水栓を備えた給水部空間の前方に、この給水部空間を開閉する扉を備えることによって、ウオーターサーバーの筐体前面の凹凸を減らしつつ、水平状態で器に給水した際に残る水が、扉を垂直状態に回動したときに漏れないものであり、産業上の利用可能性を有するものである。
【符号の説明】
【００２６】
Ａ    ウオーターサーバー
１    給水部空間
２    水容器の収納部
３    給水栓
４    扉
４ａ  凹陥部
５    筐体
６    受け皿
７    下皿
７a   壁
８    上皿
８ａ  壁
８ｂ  水抜き穴
８ｃ  先端部
９    中空部
１０  皿
１１  スイッチ
１２  光源
Ｗ    水
【図１】
2020147348.tif 000003
【図２】
2020147348.tif 000004
【図３】
2020147348.tif 000005
【図４】
2020147348.tif 000006
【図５】
2020147348.tif 000007
【図６】
2020147348.tif 000008
【図７】
2020147348.tif 000009
【図８】
2020147348.tif 000010